(57)【要約】      （修正有）【課題】従来、新しい店で、例えば、レストラン、食堂等の飲食店に、入店時に、店の雰囲気、客層、料理の内容、料金が分からず、入店し難いことと、入店しても気をもむことは、万人が経験する。【解決手段】本発明は、来客数、空テーブル数、メニュー、価格、又は順路等の店の各種情報を提供する運営会社入店サイト用データベースと、ＱＲコード、ＩＣタグ等の識別記号を発行する識別記号発行データベース運営会社とを備えた入店システムの管理会社と、入店システムの運営会社から、発信された識別記号を表示できる看板と、看板の識別記号を介して、前記店の各種情報の提供を受信できる端末機と、端末機を介して、店の各種情報を選択して行動し、行動を情報として捉え、入店システムの管理会社に発信し、発信履歴を、登録（記憶）する手段とで構成した入店システム。【選択図】図４
2009204861.tif 000002
【特許請求の範囲】
【請求項１】
来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信し、この発信履歴を、登録（記憶）する手段とで構成した入店システム。
【請求項２】
来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信するとともに、選択した店、メニュー、価格等を、前記運営会社入店サイト用データベースを介して、前記入店システムの管理会社に発信し、この発信履歴を、登録（記憶）する手段とで構成した入店システム。
【請求項３】
来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信するとともに、選択した店、メニュー、価格等を、前記運営会社入店サイト用データベースを介して、前記入店システムの管理会社に発信し、この発信履歴を、登録（記憶）する手段と、
この登録（記憶）する手段に付随して、前記識別記号の使用度を清算する手段とで構成する入店システム。
【請求項４】
請求項１〜請求項３に記載の入店システムにおいて、
前記運営会社入店サイト用データベースと、識別記号発行データベース運営会社とを情報手段で連繋する構成とし、
この運営会社入店サイト用データベースからの各種情報を介して、この識別記号発行データベース運営会社で、識別記号を発行し、この識別記号を、看板に表示するとともに、この看板を、前記店の店頭、近傍か、最寄の交通手段の駅に設置する構成とした入店システム。
【請求項５】
請求項１〜請求項３に記載の入店システムにおいて、
前記運営会社入店サイト用データベースと、識別記号発行データベース運営会社、並びに店、端末機を情報手段で連繋する構成であって、
この情報手段が、インターネット、サーバ、ウエーブページであり、また端末機が、携帯電話とする構成とした入店システム。
【発明の詳細な説明】
【技術分野】
【０００１】
本発明は、店の店頭、近傍、或いは最寄りの駅に設置した看板に、来客数、空テーブル数、メニュー、価格、又は順路等の店の各種情報を提供できる識別記号を表示し、この表示を基に、気軽、かつ安心して入店できる入店システムに関する。
【背景技術】
【０００２】
従来、何人も、新しい店で、例えば、レストラン、食堂等の飲食店に、入店する際には、その店の雰囲気、客層、又は料理の内容、或いは料金が分からず（店の内容、状況等）、何となく、入店し難いことと、入店しても気をもむことは、万人が経験する。殊に、料金には、気を使うものであって、失敗の事例や、思わぬ、恥をかくこと等があり、これが、入店の阻害理由である。そこで、この入店の阻害理由が、予め理解できれば、安心しての入店と、その際に、安心かつゆっくり、またリラックスした状態での食事、又はパーティー等が行なえて重宝する。そして、前記入店の阻害理由がなくなれば、客の理解の向上と、客の増加が期待でき経営者には、極めて、喜ばしいところであり、この双方にとって、大きなメリットが考えられる。
【０００３】
また、何人も、他の新しい店で、例えば、百貨店、商店、ズーパー、ネット上での買い物、又はサウナ、スポーツジム等のコミュニティー（集合体）においても、前述の食事の場合の例と、ほぼ同様に、入店の阻害理由が考えられる。そして、このサウナ、スポー
ツジム等の例では、練習の雰囲気、客層、又は内容が分かり、入会の呼水となることも考えられ、前述の如く、客と経営者の双方にとって、メリットが考えられる。
【０００４】
前述した、レストラン、食堂等の飲食店、又はサウナ、スポーツジム等の店における入店の阻害理由の解消策として、例えば、カタログ、各態様の広告、放送等の媒体がある。しかし、このカタログは、必ずしも、現状を知らしめるには、充分でない。また誤解を発生する可能性が考えられる。また、口コミ、紹介等を介して、知得することも可能であるが、先入観があり、正確性を欠くことが考えられる。
【０００５】
上記に鑑み、前述の入店の阻害理由の解消策を、従来技術より、調査したので、その代表例を、文献（１）〜文献（６）として、以下に説明する。
【０００６】
文献（１）は、特開２００６−３１８３３０の「待ち時間情報提供システム」である。この発明は、各種の施設における飲食店の着席可能の待ち時間を、情報として伝達し、施設の従業員の負担軽減化を図ること、またネットワークを介して、施設から離れた場所にあいても、活用できること等を意図する。その構成は、飲食店の待ち時間の情報を、標識の識別情報として発信し、この情報を受信する標識情報受付手段と、この待ち時間の情報と標識情報受付手段（読取時刻）に基づいて、入店予想時刻を算出・記憶する入店予想時刻算出手段するとともに、この入店予想時刻算出手段を介して、最も遅い入店予想時刻と現在時刻とに基づいて、現在の予想待ち時間を算出する待ち時間算出手段とで構成する待ち時間情報提供システムである。
【０００７】
文献（２）は、特開２００６−３０１８２２の「飲食店からの経路案内システム」である。この発明は、飲食店の常連客でなく、かつ飲食店の周辺地理には不案内なお客に対して、自宅又は居場所から、目的とする飲食店の周辺駅から、スムーズかつ短時間での移動、また見聞することなく可能となる経路案内システムを提供することを意図する。その構成は、飲食店に関する情報を抽出し、抽出した飲食店に関する飲食店情報記憶手段と、飲食店から目的地までの経路探索、また飲食店の周辺駅を選択可能にする機能等の情報を表示する情報画面と、この情報画面の情報を受信可能な携帯端末とで構成し、この情報端末からのアクセスを介して、飲食店情報記憶手段から、飲食店の周辺駅の情報、周辺駅から目的地の駅までの経路探索を行い、携帯端末に送信する経路探索手段とを有する飲食店からの経路案内システムである。
【０００８】
文献（３）は、特開２００６−９１３５５の「看板情報表示システムおよび看板情報表示方法」である。この発明は、看板に記載・表示された看板情報に、二次元バーコード等のコード表示部を利用し、詳細配布情報を、容易かつ迅速に入手可能とすることを意図する。その構造は、看板の一部に、詳細配布情報と、アクセス情報を有するコード表示部を形成し、コード表示部を、コード読取手段を介して、詳細配布情報を、直接、又はシステムサーバから転送して情報表示発信手段に、容易かつ迅速に表示するとともに、潜在的お客に対し、サービス非利用の理由に関するアンケート情報を電子メールとして送信し、潜在的お客の意見を、容易かつ迅速に得られるように構成したシステムである。
【０００９】
文献（４）は、特開２００２−３０４４５５の「飲食店の利用状況提供方法」である。この発明は、お客に、飲食店の利用状況、或いは人気メニューを提供できる飲食店の利用状況提供方法の提供を意図する。その構成は、テーブル毎にメニュー注文端末を設置し、メニュー注文端末に、カードを差込み、かつ利用人数を尋ねる画面にタッチする所作が、ホストコンピュータの履歴として記録されることを利用し、このホストコンピュータから、利用状況案内画面表示器に、その状況が表示されることを利用し、お客が飲食店を適切に選択できる情報を提供できるシステムである。
【００１０】
文献（５）は、特開２００５−３０９７０８の「案内システムとそれを実現するためのコンピュータプログラムとその方法」である。この発明は、お客に、情報を迅速に提供し、この情報の提供に際し、表示内容の変更可能とするとともに、低コストの案内システム等を提供する。その構造は、駅前に設置した案内装置に、周辺地図・店への経路・電子クーポン等を表示できる表示モニタと、記憶装置、記憶媒体に対し情報の読み書きが可能なリーダライタ等が備え、かつ周辺地図・店への経路・電子クーポン等が記憶されており、この記憶装置の記憶内容は、定期的に情報の更新がなされるとともに、サーバからインターネットを介して送信されることから、この案内装置からの発信履歴を、ＩＣチップ内蔵の携帯電話等で受信可能とするとともに、携帯電話に店までの経路を発信可能とする構成である。
【００１１】
文献（６）は、特開２００３−７６８４１の「来店情報収集システム及び方法」である。この発明は、はがき、ファックス等で案内メッセージの送信の代替方法であり、案内メッセージを送信し、お客の来店率を簡単に知ることができる来店情報収集システム及び方法を提供する。その構造は、お客データベースから選択されたお客に対し、案内メッセージを送信し、このお客コードを含む情報を、送信情報データベースに登録する。その一方で、店に来店したお客のお客コード等を、店端末で読み取り利用情報データベースに記憶し、ＣＰＵにおいて、案内メッセージを送信したお客か否かの判断を、お客コードで判断し、この案内メッセージを送信したお客の来店率を算出する構造である。
【００１２】
【特許文献１】特開２００６−３１８３３０
【特許文献２】特開２００６−３０１８２２
【特許文献３】特開２００６−９１３５５
【特許文献４】特開２００２−３０４４５５
【特許文献５】特開２００５−３０９７０８
【特許文献６】特開２００３−７６８４１
【発明の開示】
【発明が解決しようとする課題】
【００１３】
前述した文献（１）〜（６）は、前述した入店の阻害要因の一部を、解消するためのシステム、又は方法であり、それなりの特徴と、有益性を備えている。しかし、この入店の阻害要因を、包括的に解消しつつ、お客の満足度と、安心感を確保するには、改良の余地がある。尚、この文献（１）〜（６）には、入店の阻害要因の一部を、解消することを意図することが、その各名称に、それぞれ現れている。
【００１４】
上記に鑑み、本発明は、下記の目的を達成することを意図する。  ［イ］  看板の識別記号を、端末機を介して見聞することで、入店の阻害要因を、解消すること、  ［ロ］  この識別記号の読取りを介して、この入店の阻害要因である店の雰囲気、客層、又は料理の内容、或いは料金を、確実に認識し、ゆったりした雰囲気と、気持ちを持って、入店できる環境を設定すること、  ［ハ］  また、この識別記号の読取りを介して、この入店の阻害要因である店への順路（最寄の駅から、又はビル内の順路）を把握し、速やか、迷わず、しかも安心して入店できる環境を設定すること、  ［二］  さらに、この識別記号の読取りを介して、この入店の阻害要因である練習の雰囲気、客層、又は内容が分かり、自身を持って、迷わず、しかも安心して入店（入会）できる環境を設定すること、  ［ホ］  さらに、この識別記号の読取りを介して、この入店の阻害要因を解消することで、集客力の向上を図り、経営の健全化を図ること、  ［へ］  前述した、順路の環境を設定することで、緊急時の誘導と、非難に役立つこと、人命の確保を図ること、等の緊急時の対策として活用すること、等を意図する。
【課題を解決するための手段】
【００１５】
請求項１の発明は、前述した［イ］〜［へ］で説明した、それぞれの意図を達成することにある。
【００１６】
請求項１は、来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信し、この発信履歴を、登録（記憶）する手段とで構成した入店システムである。
【００１７】
請求項２の発明は、前述した請求項１の意図を達成し、かつ入店の阻害要因を、個別に解消すること、等を意図する。
【００１８】
請求項２は、来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信するとともに、選択した店、メニュー、価格等を、前記運営会社入店サイト用データベースを介して、前記入店システムの管理会社に発信し、この発信履歴を、登録（記憶）する手段とで構成した入店システムである。
【００１９】
請求項３の発明は、前述した請求項１の意図を達成し、かつ集客数の管理を確実に図ること、等を意図する。
【００２０】
請求項３は、来客数、空テーブル数、メニュー、価格、又は順路等の店の各種情報を提供する運営会社入店サイト用データベースと、この運営会社入店サイト用データベースにリンクし、前記店の各種情報の提供を図るＱＲコード、ＩＣタグ等の識別記号を発行する識別記号発行データベース運営会社とを備えた入店システムの管理会社と、
この入店システムの運営会社から、発信された識別記号を表示できる看板と、
この看板の識別記号を介して、前記店の各種情報の提供を受信できる端末機と、
この端末機を介して、前記店の各種情報を選択して行動し、かつこの行動を情報として捉え、前記運営会社入店サイト用データベースを介して、前記入店システムの管理会社に発信するとともに、選択した店、メニュー、価格等を、前記運営会社入店サイト用データベースを介して、前記入店システムの管理会社に発信し、この発信履歴を、登録（記憶）する手段と、
この登録（記憶）する手段に付随して、前記識別記号の使用度を清算する手段とで構成する入店システムである。
【００２１】
請求項４の発明は、前述した請求項１〜請求項３の意図を達成し、かつ看板の有効性を活用すること、等を意図する。
【００２２】
請求項４は、請求項１〜請求項３に記載の入店システムにおいて、
前記運営会社入店サイト用データベースと、識別記号発行データベース運営会社とを情報手段で連繋する構成とし、
この運営会社入店サイト用データベースからの各種情報を介して、この識別記号発行データベース運営会社で、識別記号を発行し、この識別記号を、看板に表示するとともに、この看板を、前記店の店頭、近傍か、最寄の交通手段の駅に設置する構成とした入店システムである。
【００２３】
請求項５の発明は、前述した請求項１〜請求項３の意図を達成し、かつ入店システムの運用の効率化を図ること、等を意図する。
【００２４】
請求項５は、請求項１〜請求項３に記載の入店システムにおいて、
前記運営会社入店サイト用データベースと、識別記号発行データベース運営会社、並びに店、端末機を情報手段で連繋する構成であって、
この情報手段が、インターネット、サーバ、ウエーブページであり、また端末機が、携帯電話とする構成とした入店システムである。
【発明の効果】
【００２５】
請求項１の発明は、来客数、空テーブル数、メニュー、価格、又は順路等の店の各種情報を提供する運営会社入店サイト用データベースと、運営会社入店サイト用データベースにリンクし、店の各種情報の提供を図るＱＲコード、ＩＣタグ等の識別記号を発行する識別記号発行データベース運営会社とを備えた入店システムの管理会社と、
入店システムの運営会社から、発信された識別記号を表示できる看板と、
看板の識別記号を介して、店の各種情報の提供を受信できる端末機と、
端末機を介して、店の各種情報を選択して行動し、かつ行動を情報として捉え、運営会社入店サイト用データベースを介して、入店システムの管理会社に発信し、発信履歴を、登録（記憶）する手段とで構成した入店システムである。
【００２６】
従って、請求項１は、下記の特徴を有する。
【００２７】
［イ］  看板の識別記号を、端末機を介して見聞することで、入店の阻害要因を、解消できること、  ［ロ］  この識別記号の読取りを介して、この入店の阻害要因である店の雰囲気、客層、又は料理の内容、或いは料金を、確実に認識し、ゆったりした雰囲気と、気持ちを持って、入店できる環境を設定できること、  ［ハ］  また、この識別記号の読取りを介して、この入店の阻害要因である店への順路（最寄の駅から、又はビル内の順路）を把握し、速やか、迷わず、しかも安心して入店できる環境を設定できること、  ［二］  さらに、この識別記号の読取りを介して、この入店の阻害要因である練習の雰囲気、客層、又は内容が分かり、自身を持って、迷わず、しかも安心して入店（入会）できる環境を設定できること、  ［ホ］  さらに、この識別記号の読取りを介して、この入店の阻害要因を解消することで、集客力の向上を図り、経営の健全化が図れること、  ［へ］  前述した、順路の環境を設定することで、緊急時の誘導と、非難に役立つこと、人命の確保を図ること、等の緊急時の対策として活用できること、である。
【００２８】
請求項２の発明は、来客数、空テーブル数、メニュー、価格、又は順路等の店の各種情報を提供する運営会社入店サイト用データベースと、運営会社入店サイト用データベースにリンクし、店の各種情報の提供を図るＱＲコード、ＩＣタグ等の識別記号を発行する識別記号発行データベース運営会社とを備えた入店システムの管理会社と、
入店システムの運営会社から、発信された識別記号を表示できる看板と、
看板の識別記号を介して、店の各種情報の提供を受信できる端末機と、
端末機を介して、店の各種情報を選択して行動し、かつ行動を情報として捉え、運営会社入店サイト用データベースを介して、入店システムの管理会社に発信するとともに、選択した店、メニュー、価格等を、運営会社入店サイト用データベースを介して、入店システムの管理会社に発信し、発信履歴を、登録（記憶）する手段とで構成した入店システムである。
【００２９】
従って、請求項２は、前述した請求項１の意図を達成できること、また入店の阻害要因を、個別に解消できること、等の特徴を有する。
【００３０】
請求項３の発明は、来客数、空テーブル数、メニュー、価格、又は順路等の店の各種情報を提供する運営会社入店サイト用データベースと、運営会社入店サイト用データベースにリンクし、店の各種情報の提供を図るＱＲコード、ＩＣタグ等の識別記号を発行する識別記号発行データベース運営会社とを備えた入店システムの管理会社と、
入店システムの運営会社から、発信された識別記号を表示できる看板と、
看板の識別記号を介して、店の各種情報の提供を受信できる端末機と、
この端末機を介して、店の各種情報を選択して行動し、かつ行動を情報として捉え、運営会社入店サイト用データベースを介して、入店システムの管理会社に発信するとともに、選択した店、メニュー、価格等を、運営会社入店サイト用データベースを介して、入店システムの管理会社に発信し、発信履歴を、登録（記憶）する手段と、
登録（記憶）する手段に付随して、前記識別記号の使用度を清算する手段とで構成する入店システムである。
【００３１】
従って、請求項３は、前述した請求項１の意図を達成できること、また集客数の管理が、確実に図れること、等の特徴を有する。
【００３２】
請求項４の発明は、請求項１〜請求項３に記載の入店システムにおいて、
運営会社入店サイト用データベースと、識別記号発行データベース運営会社とを情報手段で連繋する構成とし、
運営会社入店サイト用データベースからの各種情報を介して、識別記号発行データベース運営会社で、識別記号を発行し、識別記号を、看板に表示するとともに、看板を、店の店頭、近傍か、最寄の交通手段の駅に設置する構成とした入店システムである。
【００３３】
従って、請求項４は、前述した請求項１〜請求項３の意図を達成できること、また看板の有効性が図れること、等の特徴を有する。
【００３４】
請求項５の発明は、請求項１〜請求項３に記載の入店システムにおいて、
運営会社入店サイト用データベースと、識別記号発行データベース運営会社、並びに店、端末機を情報手段で連繋する構成であって、
情報手段が、インターネット、サーバ、ウエーブページであり、また端末機が、携帯電話とする構成とした入店システムである。
【００３５】
従って、請求項５は、前述した請求項１〜請求項３の意図を達成できること、また入店システムの運用の効率化が図れること、等の特徴を有する。
【発明を実施するための最良の形態】
【００３６】
以下、本発明の実施の態様（形態）を説明する。
【００３７】
図面の説明をすると、図１−１は入店システムの管理会社（入店システムの総合管理会社）と、店と、お客によるルートの一部を示した模式図、図１−２は入店システムの管理会社と、店と、お客による残りの一部を示した模式図、図２は閲覧請求により契約成立時の看板のリベートの支払いルートを示した模式図、図３は、お客、企業、その他関係者のインターネット上のコミュニティー（場の提供）とし、Ｗｉｎ―Ｗｉｎの関係を構築し、入店システムを説明した模式図、図４は本発明の概念図、図５−１は、看板の一例を示す模式図、図５−２は、看板のその他の一例を示す模式図、図６−１は、携帯電話を介して、識別記号を読取り、ホームページ（運営会社入店サイト用データベース）に入り込み、行動を情報として選択する要部の模式図、図６−２は、図６−２は、携帯電話を介して、識別記号を読取り、ホームページ（運営会社入店サイト用データベース）に入り込み、行動を情報として選択する選択画面の模式図、図７−１は、お客の入店システムへの流れを示した模式図、図７−２は、お客の入店システムへの残りの流れを示した模式図、図８−１−１は、店が２階建ての場合における外観図、図８−１−２は、店が２階建ての場合における１階部分を示した模式図、図８−１−３は、店が２階建ての場合における２階部分を示した模式図、図８−２−１は、店が５階建ての場合における外観図、図８−２−２は、店が５階建ての場合における１階部分を示した模式図、図８−２−３は、店が５階建ての場合における２階部分を示した模式図、図８−２−４は、店が５階建ての場合における３階部分を示した模式図、図８−２−５は、店が５階建ての場合における４階部分を示した模式図、図８−２−６は、店が５階建ての場合における５階部分を示した模式図である。
【００３８】
以下、本発明の好ましい一例を、図面を参照して説明する。
【００３９】
本発明は、図１−１、図１−２、図２、図４の概念図で示した如く、来客数、空テーブル数、メニュー、価格、又は順路等の店の各種情報（和食、洋食、中華等の様々なジャンルの飲食店、レストラン又は雑居ビル、ＧＭＳ等に入っているカウンターと数席のテーブル席等で構成される店も含む。）を提供する運営会社入店サイト用データベース１（入店データベース）と、この運営会社入店サイト用データベース１（管理システム）にリンクするＱＲコード６０、ＩＣタグ等の識別記号６を発行する識別記号発行データベース運営会社２（ＱＲコード発行管理システム）とは、相互に情報提供３できる連携関係を維持しており、この運営会社入店サイト用データベース１には、所定の項目で、例えば、図１の如く、店（関連店）の情報が展示（表示）及び／又は保管（在庫）されており、例えば、和食、洋食、中華、居酒屋、ファーストフード、カレー、ピザ、仕出し、弁当、アジア、エスニック、カフェ、スイーツ、バー、スナック、レストラン、大人数又は少人数が収容できる店、展望のいい店、女性客だけで気兼ねなく入店できる店、精進料理店、子供向け料理店、幼児用向け料理店、病人用向け料理店、ペット入店可能店、漫画喫茶、カラオケ等の様々な店４が挙げられる。
【００４０】
そして、この運営会社入店サイト用データベース１からの情報提供３を介して、識別記号発行データベース運営会社２において、店４の店頭、近傍、或いは最寄りの駅、バス停等の交通手段に掲載４０１する看板５に対して、カード用（貼着式、掲示式、移動式等を含む）の識別記号６（例えば、カード用のＱＲコード、ポップ用のＱＲコード、又はその他用のＱＲコード［登録商標］等のＱＲコード６０、ＩＣタグ）を発行する。
【００４１】
看板５を掲げる店４に対して、店４が、このＱＲコード６０を取得するには、店４との契約が成立した際に、識別記号発行データベース運営会社２より、ＩＤ・パスワードの付与が行なわれた後に、手続きされる流れとし、後述する不正行為（不正）を防止する。この発行されたＩＤ・パスワードを基に、識別記号発行データベース運営会社２にアクセスすることで、この識別記号発行データベース運営会社２より、店４に対して、正規のＱＲコード６０が発行される。尚、運営会社入店サイト用データベース１と、識別記号発行データベース運営会社２とは、相互にリンクし、入店システムにおける相互関連を供えた入店システムの管理会社１００を構成する。
【００４２】
また、この店４が、識別記号発行データベース運営会社２への掲載料（ＱＲコード６０の提供料）の支払いは、図４に示すように、前述した契約成立後、運営会社入店サイト用データベース１からの情報を介して、識別記号発行データベース運営会社２に連絡が入った時において、識別記号発行データベース運営会社２又は入店システムの管理会社１００は、店４に対して、例えば、請求書４０の送付を行い、店４からの入金確認を行う構造である。なお、この請求書４０は、ＱＲコード６０の発行枚数、看板５の設置枚数等により増減するため、この契約終了後まで、ＱＲコード６０が、安全に確実に店４に対して、付与する（掲載する）ことを保証するものである。そして、この請求書４０の請求ルートは、上記の説明及び／又は図面には、限定されず、看板５を提供する駅、バス停等の交通手段の場所提供者（土地提供者）にも考えられるが、識別記号発行データベース運営会社２と店４の契約内容により、その都度変更する。
【００４３】
看板５の設置場所として、人が視認できる箇所で、関連業者、通行人、店員等も含めた不特定多数の者から目を惹くような場所が望ましく、他には、店４周辺にあるデッドスペースの有効利用を図りながら、看板５を複数個設置することも可能である。なお、店４の前に、入り口付近、雑居ビル等の場合は、エントランス部分、そして、駅、バス停等の交通手段の人の出入りが激しい場所、不特定多数の人が通行するような場所がある。そして、看板５の設置スペースがないような場合（デッドスペースの有効利用が図れない場合）、例えば、店４の設置スペース、例えば、内外壁、内外窓、掲示板（壁、窓とする）を利用して、ＱＲコード６０を掲載４０１することも考えられる。そして、このように、看板５を利用して、ＱＲコード６０を掲載４０１することから、不特定多数の人の目に留まり、このＱＲコード６０は、店４の各種情報を望む、不特定多数の者の目に止まり、効率的で、かつ有意義であり、看板５の有効利用が期待できる。このＱＲコード６の読取りを介して、店４の入店の阻害要因である店４への順路（最寄りの駅、バス停等の交通手段から、又は雑居ビル、ＧＭＳ等の集合店による店内の順路）を把握し、速やかに、迷わず、しかも安心して入店できる環境に寄与することができる。さらに、このＱＲコード６の読取りを介して、店４の阻害要因である雰囲気、客層、又は内容が分かり、自信を持って、迷わず、しかも安心して入店（入会）できる環境に寄与することができる。また、このように、店４の集客が図れることにより、飲食業界の活性化を図ることもでき、この業界に携わる人々の暮らしを豊かにすること、ひいては、日本経済における活性化にも貢献することが考えられる。
【００４４】
その一方で、お客７は、店４に掲載４０１されたＱＲコード６０を、携帯電話８０等の識別記号を読取り機能が搭載された端末機８で読取り（アクセスし）、直接、運営会社入店サイト用データベース１が展示する各種情報を利用する。例えば、この運営会社入店サイト用データベース１の入店サイトに入り、この店４の各種情報を閲覧することで、店４の各種情報（詳細は後述する）を選択して行動する。つまり、この端末機８を介して、前記店４の各種情報を選択して行動することで、この行動を情報として把握することで、前記運営会社入店サイト用データベース１を介して、入店システムの管理会社１００に発信し、この発信履歴１１を登録（記憶）する手段がある。そのため、この入店システムで入店することから、瞬時に、運営会社入店サイト用データベース１の入店サイトにアクセスができる（情報を選択できる）ので、速やかな案内・情報の知得による利便性と、安心感と、費用の削減、地域環境の維持を図れる。さらには、お客が知りたい店４へとわざわざ出向く手間と、この移動に伴う弊害解消に役立ち、障害者への配慮も図れること等の特徴がある。なお、このＱＲコード６による読取を（アクセスを）、直接の場合と、その後、何時でも、ＩＤ・パスワードが付与され、この運営会社入店サイト用データベース１を登録している限り、可能であり、繰返しの対応ができること、又は本発明が意図する、例えば、インターネット上のコミュニティー（場の提供）を図り、Ｗｉｎ―Ｗｉｎの関係を利用した、運営会社入店サイト用データベース１を介して、入店システムの管理会社１００に発信し、発信履歴１１を、登録（記憶）する手段とで構成した入店システムＡである。なお、この発信履歴１１を登録することで、店４が、その情報の変更、更新を行った際においても、過去の登録（記録）を参考に見ることができ、お客７にとっても、非常に有益である。
【００４５】
また、入店システムＡの発信を行うと同時に、お客７が選択した情報（その店、メニュー、価格等の顧客情報１２）を前記運営会社入店サイト用データベース１を介して、入店システムの運営会社１００に発信し、この顧客情報１２も前記発信履歴１１と同様の扱いとする。なお、この発信履歴１１及び顧客情報１２を参考に、入店システムの運営会社１００は、お客の性別・年代・目的等を集積したデータを作成することも可能であり、飲食業界にとって、非常に有益な情報を店４へと提供できること、ある店４へはどのようなお客７が多いのか少ないか等のお客の分析にも役立つこと等が考えられる。
【００４６】
以上のように、看板５への視認による、お客７の閲覧を介して運営会社入店サイト用データベース１の入店サイトにアクセスがあり、入店に至った場合には、この使用度を精算し、この使用度に応じて、入店情報１０とし、店４への情報伝達が行われる。そして、この入店情報１０を介して、店４は、識別記号発行データベース運営会社２又は入店システムの運営会社１００に対して、支払いを行う契約が確定する。後述するように、店４の清算手段１１を介して、計算された相当額の支払いが、店４から識別記号発行データベース運営会社２又は入店システムの運営会社１００に対して行われる。
【００４７】
この一方で、お客７による食事依頼があった段階で、お客７との契約及び／又は取引が成立する。この契約及び／又は取引の成立を経て、運営会社入店サイト用データベース１より、お客７に、飲食物の提供（飲食店でない場合においては、商品の提供、参加確認）が行われる。そして、この取引に纏わる店４への請求の方法は、前述の通りである。
【００４８】
図５−１は、店４に掲載４０１する看板５を模式的に示したものであり、例えば、その看板を設置するビルが５階建ての場合、店舗ごとに個別に識別記号６（ＱＲコード６０）を付して、どの店舗に対して、どの識別記号６を読取（アクセス）を行えばいいか、万人が瞬時に理解できるようにする。なお、図５−２のように、識別記号６をまとめて表記し、お客７が、何を食べたいかをじっくり選択でき、また看板５が大きく、その識別記号６に読取が困難である場合において、非常に有益であると考えられる。
【００４９】
以下、入店システムの管理会社１００と、看板５を掲載４０１する店４、並びにお客７との関係を説明するとともに、これら連繋関係者の契約に関する入店システムの手順と、操作の一例を、以下、フローチャートを基に、説明する。
【００５０】
図１−１において、（ＳＴ−１）の如く、運営会社入店サイト用データベース１の設定業務には、店４に関する各種情報（この情報は、前述した通りである）が登録されている。そして、（ＳＴ−２）の情報提供を介して、この情報が、（ＳＴ−３）に示した識別記号発行データベース運営会社２に送られる。この識別記号発行データベース運営会社２では、識別記号６（ＱＲコード６０）が発行されるが、その前提として、（ＳＴ−４）で、この識別記号６（ＱＲコード６０）を設ける店４との契約が必要となるので、契約の有無（ＹＥＳ又はＮＯ）を判断する。その契約の有無を判断する前段階又は現段階において、運営会社入店サイト用データベース１に前記情報を登録し、ログ解析のためのＩＣタグの提供（ＳＴ−７）が行われる。このＩＣタグが提供されると、運営会社入店サイト用データベース１へとリターンする（ＳＴ−５）。そして、前述のように、（ＳＴ−２）、（ＳＴ−３）を介して、店４との契約の有無を判断する（ＳＴ−４）。この判断で、契約成立であるＹＥＳの場合には、（ＳＴ−６）の如く、ＩＤ・パスワードを付与して、識別記号発行データベース運営会社２に対して、識別記号６の発行を依頼する。この識別記号６の発行は、前記ログ解析のためのＩＣタグに基いて、確実かつ迅速に行われる（ＳＴ−７）。また前記判断が、ＮＯの場合には、（ＳＴ−８）の如く、終了である。その後、識別記号６を取得した店４は、（ＳＴ−９）の如く、店４の正面、近傍に掲載４０１した看板５を設ける。なお、この店４は、前述の如く、識別記号発行データベース運営会社２に対して、請求書４０が店４へと送付されるため、その支払いを行う必要がある。（ＳＴ−１０）なお、この段階において支払いを行うとする理由は、そのＱＲコード６０の設置枚数等が異なるためであり、予め、提供される場所・枚数等が識別記号発行データベース運営会社２がＩＤ・パスワードの提供が把握している場合には、（ＳＴ−６）の後であってもよい。
【００５１】
そして、この看板５に掲載４０１した識別記号６は、常時、人目につく、空間スペースで、例えば、図１−１に示すように、デットスペース等を有効活用し、お客の来店機会の増加、予約情報、煩雑な移動の回避等に貢献できると考えられる。なお、この効果は、前述に記載したものに準ずる。なお、この看板５に識別記号６を掲載４０１することにより、各種情報の提供に加えて、企業の広告媒体、地域に参加できるようなコミュニティーへの利用も可能である。ところで、識別記号６の発行業務に関して、セキュリティ機能を採用し、不正行為（不正アクセス）を防止することは必須であり、この不正行為の防止（不正防止、第三者からの悪用防止）を介して、安心な業務と、そのシステムが構築できること、さらには本システムに対する信用の確保等に有益である。この不正防止は、本発明の各行為を始めとして、その他、例えば、各業務及び／又は選択、入店、購入等の各行為に対しても同様である（以下、同じ）。
【００５２】
この掲載４０１された識別記号６を視認したお客７が、（ＳＴ−１０）、（ＳＴ−１２）の如く、例えば、携帯端末器（例えば、端末機８）を介して、アクセス及び／又はメニューの購入があった場合には、（ＳＴ−１３）の如く、お客７と店４との契約（取引）成立となる。尚、原則として、識別記号６は、各店４に、個別に付与する。これにより、各店４のリベート清算、店４からのアクセス清算等に関し、個別に判断できるので、極めて有益であり、不正行為の回避と、トラブルの解消と、信用確保等に有益である。各店４の個別の判断、即ち、各店４の実績（履歴）を踏まえ、例えば、メニュー、価格、テーブル数、座席数等の各種情報に基づいて、個々のお客７に対して、適する地域環境、市場調査や、料理の提供に適する時間帯の選択・設定を把握できる効果と、この効果を介して、店４の食事の提供の時間を判断すること、万人が所望するようなメニューの開発、女性向け、高齢者向け、幼児向け、等の様々な幅広い世代にニーズにこたえるような様々な料理の提供が行え、また前述の各種の有効利用の特徴と、さらに識別記号６を設けるデットスペース（空間）の有効利用が図れ、有益である。なお、前記識別記号発行データベース運営会社２に、既に、登録されたＩＤ・パスワードを介して、各店４には、自動的に、更新される識別記号６が付与される構造とすることも可能である。ところで、この店４との契約、識別記号６の更新等業務に関して、セキュリティ機能を採用し、不正行為（不正アクセス）を防止することは必須であり、その効果は、前述の例に準ずる。
【００５３】
また、図２において、前述したように、（ＳＴ−１３）の如く、店４との契約（取引）成立となる状態にて、運営会社入店サイト用データベース１より、お客７に対してアクセスが可能状態となり、（ＳＴ−１４）の如く、お客７からの注文があると、例えば、飲食物が提供される。この飲食物の提供に応じて、お客７は、店４にお金を支払うことになる。なお、この場合、お金の支払いを後日行うことも可能であり、その場合は、店４とお客７の中でのやり取りを行うものとし、運営会社入店サイト用データベース１に対するお金の流れ等は原則として、発生しない。そうして、お金を受け取った店４は、運営会社入店サイト用データベース１に対して、相当額の入金を行う（ＳＴ−１５）。この相当額の入金を一部において、確認した場合は、（ＳＴ−１６）の如く、ＮＯの場合は、（ＳＴ−１８）の如く、リターンする。この確認で、ＹＥＳの場合には、（ＳＴ−１９）の如く、終了する。この際に発生する請求書４０の発行業務、金銭の授受（入出金）等業務に関して、セキュリティ機能を採用し、不正行為（不正アクセス）を防止することは必須であり、その効果は、前述の例に準ずる。なお、（ＳＴ−１５）の店４から運営会社入店サイト用データベース１への支払いは生じず、（ＳＴ−１４）で終了することもある。
【００５４】
なお、図７−１、図７−２は、お客７の入店システムへの流れを示した模式図であり、まず、識別記号６による読取（アクセス）を介して、店４を選択し、その中から、並列的に明記されるこの場合だと、テーブル数、席数、料理、メニュー、待ち時間、営業時間等が表示されるため、この中から選択し、そして、予約を行う。また、予約をおこなわずに、その店４へと順路案内を利用することも可能であり、順路案内を行う。そして、店４へとお客７は入店し、予約時においては、店員の案内が不十分であった場合、店内の経路が複雑であった場合等もスムーズに誘導を行ってくれ、確実に座席へと誘導してくれる。そして、食事を終了し、本システムは、終了するものである。詳細は、前述したとおりであるが、このように、お客７（利用者）は、煩雑な操作を要せず、確実に席へと案内することができ、また、各人が所望する料理の提供を受けることができる。
【００５５】
図３において、本発明の概念的な説明をすると、インターネット等の通信媒体を介して、このインターネット等の媒体を介して、インターネット上で、関係者がコミュニティーを構築する図式を示すこのであって、運営会社入店サイト用データベース１と、識別記号発行データベース運営会社２とは、相互にリンク（情報提供３）されており、入店システムの管理会社１００内に置かれている。そして、この入店システムの管理会社１００と、店４と、関連企業（図示せず）、並びにお客７は、インターネットの通信媒体を介して、インターネット上にＷｅｂコミュニティーを構築し、バーチャル空間の及び／又はＷｉｎ―Ｗｉｎの関係を利用することで、入店システムを構築し、広域的な情報交換・注文情報・要望情報を介して、入店促進の効率化・拡充化・有効活用等を図る。そして、市場の活性化と、入店システムの有効利用・拡充化と、さらには入店の迅速化を図ることを特徴とする。
【００５６】
尚、この入店システム及び／又は本発明全体を、オートメーション化（自動応答システム）し、人の仲介をなくし、又は人の操作を排除し、このシステム全体の自動化とすることで、例えば、人へのこだわりと、また時間・場所・外見等の全ての制限を受けず、しかも秘密裡に、本発明の入店システムの運用及び／又は管理を行うことも可能である。
【００５７】
そして、図６−１は、端末機８の携帯電話８０を介して、視認した際に閲覧できる入店システムの管理会社の店４の各種情報が掲載４０１されたホームページ（運営会社入店サイト用データベース１）の要部の模式図であり、前述の如く、店４と、入店システムの管理会社１００等のアクセスで、常時、変更可能な構成である。そして、この入店システムの管理会社の運営会社入店サイト用データベース１に、識別記号６を介して、お客７が閲覧し、また意見・要望等を書き加えることも可能な構造とすることで、さらに入店システムの拡充と、有効利用を図ることが望ましい。このホームページ（運営会社入店サイト用データベース１）には、所在地、営業時間、席数、テーブル数、座席数、空席数、メニュー、喫煙可能かどうか、ペット可能かどうか、車いす可能かどうか、料金帯、コース料理等の店４に関する情報が、記載されており、常時、正確な情報と内容を提供すること、又は操作をガイドする案内と、アクセス箇所、又は各種の連絡事項・箇所等が示されている。図６−２は、各種情報が掲載４０１された選択画面の一例であり、この画面に基づき説明すると、ラーメンを選択する際には、このラーメンの写真が表示される。なお、このラーメン以外の条件がヒットしないようになる。
【００５８】
なお、この端末機８で読取をした各種情報は、携帯電話８０だけではなく、もちろん携帯型のパソコン・ＰＤＡ等で閲覧することも可能であり、一度にたくさんの店舗を閲覧する場合において、極めて有益である。
【００５９】
図８−１−１は、例えば、店４が２階建ての場合の外観図を示したものであり、その場合において、入店時から着席までは、例えば、矢印が示すようになる。なお、この矢印は、お客７の現在地を示し、今の現在位置の把握と、座席への到達を確実に行うものである。なお、このようなテーブル数、座席数等の見取り図をお客７は把握していることから、地震、家事等の天災時においても、安全に避難することができ、人命の確保を図ること、等の緊急時の対策として活用することに非常に有益である。なお、図８−２−１は、店４が５階建ての場合の外観図を示したものであり、前記の例と同様とする。
【００６０】
図８−１−２、図８−１−３は、図８−１−１のその階ごとの部分を記載したものであり、同じく図８−２−２、図８−２−３、図８−２−４、図８−２−５、図８−２−６は、図８−２−１のその階ごとの部分を記載したものである。
【図面の簡単な説明】
【００６１】
【図１−１】、図１−１は、入店システムの管理会社（入店システムの総合管理会社）と、店と、お客によるルートの一部を示した模式図
【図１−２】図１−２は、入店システムの管理会社と、店と、お客による残りの一部を示した模式図
【図２】図２は、閲覧請求により契約成立時の看板のリベートの支払いルートを示した模式図
【図３】図３は、お客、企業、その他関係者のインターネット上のコミュニティー（場の提供）とし、Ｗｉｎ―Ｗｉｎの関係を構築し、入店システムを説明した模式図
【図４】図４は本発明の概念図
【図５−１】図５−１は、看板の一例を示す模式図
【図５−２】図５−２は、看板のその他の一例を示す模式図
【図６−１】図６−１は、携帯電話を介して、識別記号を読取り、ホームページ（運営会社入店サイト用データベース）に入り込み、行動を情報として選択する要部の模式図
【図６−２】図６−２は、携帯電話を介して、識別記号を読取り、ホームページ（運営会社入店サイト用データベース）に入り込み、行動を情報として選択する選択画面の模式図
【図７−１】図７−１は、お客の入店システムへの流れを示した模式図
【図７−２】図７−２は、お客の入店システムへの残りの流れを示した模式図
【図８−１−１】図８−１−１は、店が２階建ての場合における外観図
【図８−１−２】図８−１−２は、店が２階建ての場合における１階部分を示した模式図
【図８−１−３】図８−１−３は、店が２階建ての場合における２階部分を示した模式図
【図８−２−１】図８−２−１は、店が５階建ての場合における外観図
【図８−２−２】図８−２−２は、店が５階建ての場合における１階部分を示した模式図
【図８−２−３】図８−２−３は、店が５階建ての場合における２階部分を示した模式図
【図８−２−４】図８−２−４は、店が５階建ての場合における３階部分を示した模式図
【図８−２−５】図８−２−５は、店が５階建ての場合における４階部分を示した模式図
【図８−２−６】図８−２−６は、店が５階建ての場合における５階部分を示した模式図
【符号の説明】
【００６２】
１            運営会社入店サイト用データベース
１００        入店システムの管理会社
２            識別記号発行データベース運営会社
３            情報提供
４            店
４０１        掲載
６            識別記号
６０          ＱＲコード
７            お客
８            端末機
８０          携帯電話
１０          入店情報
１１          発信履歴
１２          顧客情報
【図１−１】
2009204861.tif 000003
【図１−２】
2009204861.tif 000004
【図２】
2009204861.tif 000005
【図３】
2009204861.tif 000006
【図４】
2009204861.tif 000007
【図５−１】
2009204861.tif 000008
【図５−２】
2009204861.tif 000009
【図６−１】
2009204861.tif 000010
【図６−２】
2009204861.tif 000011
【図７−１】
2009204861.tif 000012
【図７−２】
2009204861.tif 000013
【図８−１−１】
2009204861.tif 000014
【図８−１−２】
2009204861.tif 000015
【図８−１−３】
2009204861.tif 000016
【図８−２−１】
2009204861.tif 000017
【図８−２−２】
2009204861.tif 000018
【図８−２−３】
2009204861.tif 000019
【図８−２−４】
2009204861.tif 000020
【図８−２−５】
2009204861.tif 000021
【図８−２−６】
2009204861.tif 000022